(57)【特許請求の範囲】
【請求項１】
カーペット側に取付けられる本体部と、マット側に取付けられるグロメットとを備え、前記本体部に設けられた回転ノブを、前記グロメットに設けられた取付孔に挿通して回転させることにより抜け止めして、カーペットとマットとを連結するように構成されたマット固定装置において、
前記本体部は、カーペットへの固定部と、この固定部に連設された支持部と、この支持部に設けられた長孔とを有し、
前記回転ノブは、前記長孔に挿通される軸部と、この軸部の表側端部に設けられたツマミ部と、前記軸部の裏側端部に設けられた抜け止め部とを有し、
前記長孔には、途中に前記軸部を圧入状態で通過可能なくびれ部が設けられ、
前記グロメットの取付孔は、前記回転ノブの軸部が前記長孔の一端側に位置した状態で前記回転ノブが所定の回転角度にあるとき、前記ツマミ部が挿通可能とされ、前記回転ノブが上記回転角度とは異なる角度にされたとき、又は前記回転ノブの軸部が前記長孔の他端側に移動したときには、前記ツマミ部が挿通できずに抜け止めされる形状をなし、
前記グロメットの取付孔の近傍には、前記回転ノブの軸部が前記長孔の一端側に位置した状態で前記回転ノブを回転させるとき、前記ツマミ部の一端が当接して、前記軸部を前記長孔の他端側にスライドさせ、前記ツマミ部の長手方向が前記取付孔の長手方向と交差する位置で停止させる回転規制部が設けられていることを特徴とするマット固定装置。
【請求項２】
前記長孔は、２つの円形孔が部分的に重なって、途中にくびれ部が形成されたダルマ孔状をなしており、前記回転ノブの軸部の外径は、前記各円形孔の内径よりも小さく、前記くびれ部の隙間よりも大きく形成され、前記軸部が前記くびれ部を圧入状態で通過するようにされている請求項１記載のマット固定装置。
【請求項３】
前記長孔の前記くびれ部の少なくとも一側壁部は、前記軸部が前記くびれ部を通過するときに、外径方向に撓み可能とされている請求項２記載のマット固定装置。
【請求項４】
前記グロメットの回転規制部は、前記ツマミ部を前記取付孔に挿通させて回転させたときに、前記ツマミ部の長手方向を前記取付孔の長手方向に対して直交する角度で停止させるように形成されている請求項１〜３のいずれか１つに記載のマット固定装置。
【発明の詳細な説明】
【技術分野】
【０００１】
本発明は、カーペットに対してマットを固定するためのマット固定装置に関する。
【背景技術】
【０００２】
車両の床には、カーペットが敷かれると共に、運転者や乗員の足が乗る部分には、更にマットが取付けられている。このマットは、カーペットに対して不用意に動かないように固定されると共に、例えば泥や砂が付着したときには、カーペットから取り外して、掃除できるようにされている。
【０００３】
カーペットに対してマットを着脱可能に取付けるためのものとして、下記特許文献１には、カーペットに固定される第１クリップと、この第１クリップに取付けられる第２クリップと、マットに固定されるマット固定具と、第２クリップをマット固定具に連結する取付ノブとを備え、前記第１クリップは、Ｃ字状の固定部と、この固定部から立設すると共に弾性係止片が設けられた筒状の連結部とを有し、記第２クリップは、フランジと、その上面に形成された支持部と、フランジ下面に形成される共に前記弾性係止片が係合する穴が設けられた筒状の連結部とを有し、前記取付ノブは、矩形状のつまみ部と、このつまみ部から垂設した係止脚とを有する、固定装置が記載されている。また、取付ノブの係止脚が、第２クリップの支持部の孔に挿入されることで、取付ノブが回動可能に支持されている。
【０００４】
上記固定装置を用いてカーペットにマットを取付ける際には、次のような作業を行う。すなわち、マットに固定されたマット固定具の楕円穴の長手方向に、取付ノブの矩形状をなしたつまみ部の長手方向を整合させて、楕円穴からつまみ部を突出させ、その後、取付ノブを９０度回動させることで、つまみ部が楕円穴に係合して、マット固定具に第２クリップが固定される。
【０００５】
そして、カーペットに固定された第１クリップの連結部に、第２クリップの連結部を位置決めして押し込むことにより、第１クリップの連結部の弾性係止片が、第２クリップの連結部の穴に係合して、両連結部が連結されて、カーペットにマットが取付けられるようになっている。
【０００６】
一方、カーペットに対してマットを引き上げて、第２クリップの連結部から第１クリップの連結部を引き抜くことで、マットをカーペットから取外せるようになっている。
【先行技術文献】
【特許文献】
【０００７】
【特許文献１】特開２０１０−１８０９２９号公報
【発明の概要】
【発明が解決しようとする課題】
【０００８】
上記特許文献１記載の固定装置では、乗員の爪先が取付ノブのつまみ部にぶつかったり、傘等の物がつまみ部にぶつかったりして、つまみ部に不測の外力が作用した場合に、つまみ部が回ってしまう虞れがある。そして、回動したつまみ部の長手方向が、マット固定具の楕円穴の長手方向に整合した場合、マット固定具の楕円穴からつまみ部が外れてしまう可能性があった。
【０００９】
したがって、本発明の目的は、ノブが回転しても、カーペットからマットが外れないように保持することができる、マット固定装置を提供することにある。
【課題を解決するための手段】
【００１０】
上記目的を達成するため、本発明のマット固定装置は、カーペット側に取付けられる本体部と、マット側に取付けられるグロメットとを備え、前記本体部に設けられた回転ノブを、前記グロメットに設けられた取付孔に挿通して回転させることにより抜け止めして、カーペットとマットとを連結するように構成され、前記本体部は、カーペットへの固定部と、この固定部に連設された支持部と、この支持部に設けられた長孔とを有し、前記回転ノブは、前記長孔に挿通される軸部と、この軸部の表側端部に設けられたツマミ部と、前記軸部の裏側端部に設けられた抜け止め部とを有し、前記長孔には、途中に前記軸部を圧入状態で通過可能なくびれ部が設けられ、前記グロメットの取付孔は、前記回転ノブの軸部が前記長孔の一端側に位置した状態で前記回転ノブが所定の回転角度にあるとき、前記ツマミ部が挿通可能とされ、前記回転ノブが上記回転角度とは異なる角度にされたとき、又は前記回転ノブの軸部が前記長孔の他端側に移動したときには、前記ツマミ部が挿通できずに抜け止めされる形状をなし、前記グロメットの取付孔の近傍には、前記回転ノブの軸部が前記長孔の一端側に位置した状態で前記回転ノブを回転させるとき、前記ツマミ部の一端が当接して、前記軸部を前記長孔の他端側にスライドさせ、前記ツマミ部の長手方向が前記取付孔の長手方向と交差する位置で停止させる回転規制部が設けられていることを特徴とする。
【００１１】
本発明のマット固定装置においては、前記長孔は、２つの円形孔が部分的に重なって、途中にくびれ部が形成されたダルマ孔状をなしており、前記回転ノブの軸部の外径は、前記各円形孔の内径よりも小さく、前記くびれ部の隙間よりも大きく形成され、前記軸部が前記くびれ部を圧入状態で通過するようにされていることが好ましい。
【００１２】
本発明のマット固定装置においては、前記長孔の前記くびれ部の少なくとも一側壁部は、前記軸部が前記くびれ部を通過するときに、外径方向に撓み可能とされていることが好ましい。
【００１３】
本発明のマット固定装置においては、前記グロメットの回転規制部は、前記ツマミ部を前記取付孔に挿通させて回転させたときに、前記ツマミ部の長手方向を前記取付孔の長手方向に対して直交する角度で停止させるように形成されていることが好ましい。
【発明の効果】
【００１４】
本発明によれば、回転ノブの軸部が長孔の一端側に位置した状態で、回転ノブを所定の角度にすると、ツマミ部がグロメットの取付孔に挿通できる状態となるので、その状態でツマミ部を取付孔に挿通し、次いで回転ノブを回転させると、ツマミ部の一端がグロメットの回転規制部に当接し、回転ノブの軸部が長孔の他端側にスライドすると共に、ツマミ部が取付孔と交差する位置で停止する。したがって、ツマミ部が取付孔に係合して抜け止めされ、カーペットにマットを固定することができる。
【００１５】
そして、使用中にツマミ部が回転して、取付孔に対して交差しない角度になっても、回転ノブの軸部が長孔の他端側に位置するので、ツマミ部は取付孔を通過できず、マットが外れることはない。また、マットを取り外したいときは、ツマミ部を操作して回転ノブの軸部を長孔の一端側に移動させ、その状態でツマミ部を取付孔に整合する回転位置にすることにより、ツマミ部を取付孔から抜き出してマットを外すことができる。
【００１６】
このようにツマミ部を取付孔に挿通して回転させるだけで、回転ノブの軸部を長孔の他端側に移動させると共にツマミ部を取付孔と交差する角度にすることができるので、簡単な操作で確実にマットを固定することができる。
【図面の簡単な説明】
【００１７】
【図１】本発明に係るマット固定装置の一実施形態を示す分解斜視図である。
【図２】同マット固定装置を構成する本体部の平面図である。
【図３】同マット固定装置の裏面側から見た場合の斜視図である。
【図４】同マット固定装置を用いて、カーペットにマットを固定する際の使用方法であって、その第１工程を示しており、（ａ）は平面図、（ｂ）は断面図でる。
【図５】同マット固定装置の使用方法の第２工程を示しており、（ａ）は平面図、（ｂ）は断面図である。
【図６】同マット固定装置の使用方法の第３工程を示しており、（ａ）は平面図、（ｂ）は断面図である。
【図７】同マット固定装置の使用方法の第４工程を示しており、（ａ）は平面図、（ｂ）は断面図である。
【図８】同マット固定装置の使用方法の第５工程を示しており、（ａ）は平面図、（ｂ）は断面図である。
【発明を実施するための形態】
【００１８】
以下、図面を参照して、本発明に係るマット固定装置の一実施形態について説明する。
【００１９】
図１に示すように、この実施形態におけるマット固定装置１０は、カーペット１に取付けられる本体部２０と、この本体部２０に回転可能に装着される回転ノブ５０と、マット５に取付けられると共に、その内周に本体部２０の取付用の取付孔７５（図５（ａ），（ｂ）参照）が形成されたグロメット６０とを備えている。前記カーペット１には、長方形状の固定孔２，３が所定間隔をあけて形成されており、前記マット５には、長手方向両端が丸みを帯びた長孔状のグロメット装着孔７が形成されている。
【００２０】
前記本体部２０は、カーペット１に固定される固定部３０と、この固定部３０に連設されると共に長孔４５（図２参照）が形成された支持部４０とを有しており、前記回転ノブ５０は、この長孔４５に回転可能に支持されるようになっている。
【００２１】
図１に示すように、この実施形態における回転ノブ５０は、前記長孔４５に挿通される角柱状の軸部５１と、この軸部５１の表側端部に連結され、前記長孔４５の表側に配置されるツマミ部５３と、前記軸部５１の裏側端部に連結され、前記長孔４５の裏側に配置される抜け止め部５５とを有している。前記ツマミ部５３及び前記抜け止め部５５は、それぞれ一方向に長く伸びる長尺形状をなしている。また、前記軸部５１の表側端部には、円形状に拡径した円形部５１ａが設けられている。なお、軸部５１の「表側端部」とは、軸部５１の、長孔４５の表側に位置する軸方向一端部を意味し、「裏側端部」とは、長孔４５の裏側に位置する軸方向他端部を意味する。
【００２２】
図１〜３を参照して、本体部２０の固定部３０について説明すると、この固定部３０は、前記カーペット１の表面に当接する長板状の板体３１を有している。この板体３１の裏面であって、長手方向一端部には、リブ３４が立設されており、このリブ３４の先端に薄肉ヒンジ３４ａを介して、前記板体３１に対して開閉可能とされた長板状の挟持板３５が連結されている。リブ３４よりもやや長手方向他端部寄りの位置には係合壁３２が立設されており、更に、板体３１の長手方向他端部には、係合壁３３が立設されている。
【００２３】
また、上記挟持板３５の内面側であって、長手方向基端寄りの位置及び長手方向先端寄りの位置からは、前記係合壁３２，３３にそれぞれ係合する係合爪３６，３７が突設されている。また、挟持板３５の内面の、前記係合爪３７に隣接した位置からは、前記係合壁３３の裏面側に配置されて、係合壁３２と係合爪３６との係合状態を保持する保持片３８が立設されている。
【００２４】
上記固定部３０に連設される支持部４０は、グロメット内周に挿入されるグロメット挿入部４１と、このグロメット挿入部４１の上面にあって、長手方向一端部寄りの位置に段状に突設され、グロメット内周の取付孔７５に挿入される取付孔挿入部４３とから構成されている。
【００２５】
前記グロメット挿入部４１は、板体３１の上面から立設された周壁４１ａと、この周壁４１ａの上端面を形成する天井壁４１ｂとから形成されている。また、取付孔挿入部４３は、長手方向両端が半円筒状に丸みを帯びた長枠状の周壁４３ａと、この周壁４３ａの上端面をなす天井壁４３ｂとからなる。
【００２６】
そして、上記取付孔挿入部４３の天井壁４３ｂに、前記回転ノブ５０の軸部５１を回転可能に且つスライド可能に支持する長孔４５が設けられている。図２に示すように、この実施形態の長孔４５は、その長手方向一端に配置された円形孔４５ａと、長手方向他端に配置された円形孔４５ｂとの、同一内径の２つの円形孔４５ａ，４５ｂが部分的に重なって形成されており、その途中にくびれ部４５ｃが設けられたダルマ孔状をなしている。
【００２７】
この実施形態の場合、各円形孔４５ａ，４５ｂの内径Ｒが、前記軸部５１の円形部５１ａの外径Ｄよりも大きく形成され、この円形部５１ａの外径Ｄよりも、前記くびれ部４５ｃの隙間Ｃが小さく形成されている（Ｒ＞Ｄ＞Ｃ）。そのため、軸部５１の円形部５１ａが各円形孔４５ａ，４５ｂ内で回転可能で、また、軸部５１が円形孔４５ａ，４５ｂの間を移動するときに、円形部５１ａがくびれ部４５ｃを圧入状態で通過するようになっている。
【００２８】
また、取付孔挿入部４３の周壁４３ａの、くびれ部４５ｃに整合する長辺側の両側部分は、天井壁４３ｂが配置されておらず、薄肉の周壁４３ａだけとなっているので、軸部５１の円形部５１ａがくびれ部４５ｃを圧入状態で通過するときに、外径方向に撓むように構成されている。なお、上記周壁４３ａのくびれ部４５ｃに整合する側部に、スリットや切欠き等を設けて、同周壁４３ａの側部を撓み可能としてもよく、また、周壁４３ａの長辺側一側部のみを撓み可能としてもよい。
【００２９】
図３に示すように、前記グロメット挿入部４１の天井壁４１ｂの裏面には、前記回転ノブ５０の抜け止め部５５が配置される凹部３１ａが形成されている（図３及び図４（ｂ）参照）。また、この凹部３１ａ内における前記長孔４５の長辺側周縁には、一対のノブ係合リブ４７，４７が対向して立設されており、回転ノブ５０が所定角度回転したときに、抜け止め部５５が上記ノブ係合リブ４７，４７係合して抜け止め保持されるようになっている。また、長孔４５の長辺側周縁であって、前記一対のノブ係合リブ４７，４７の間には、撓み可能な弾性爪４８，４８が設けられており、図３及び図４（ｂ）に示すように、回転ノブ５０の抜け止め部５５が、長孔４５の裏側へ挿出されたときに、軸部５１の円形部５１ａと抜け止め部５５との間に入り込み、本体部２０に対して回転ノブ５０が抜け止め保持されるようになっている。
【００３０】
次にマット５に取付けられるグロメット６０について説明する。図１に示すように、このグロメット６０は、マット５の表面側に配置される基体７０と、マット５の裏面側に配置されると共に、前記基体７０に取付けられてマット５を挟持する蓋体８０とを有している。
【００３１】
基体７０は、マット５のグロメット装着孔７に挿入されると共に、前記本体部２０の支持部４０のグロメット挿入部４１に適合して、両端が半円筒状に丸みを帯びた長枠状をなす筒部７１と、この筒部７１の上端外周から傘状に広がり、前記グロメット装着孔７の表側周縁に係合するフランジ部７２とを有している。また、筒部７１の外周には、軸方向に沿って段状に突出した複数の凸部からなる係合部７３が、周方向に所定間隔をあけて複数突設されている。
【００３２】
図１及び図５に示すように、前記筒部７１の内周の途中には、段状に突出するツマミ係合壁７４が形成されている。このツマミ係合壁７４の下面は、筒部７１の下端よりも高い位置にあり、筒部７１の下端部内周には、前記本体部２０のグロメット挿入部４１が挿入されて、本体部２０に対してグロメット６０が回り止めされるようになっている。
【００３３】
一方、上記ツマミ係合壁７４には、本体部２０の取付孔挿入部４３及び回転ノブ５０のツマミ部５３に適合するように、長手方向両端部が丸みを帯びた長孔状をなし、取付孔挿入部４３及びツマミ部５３を挿入可能とされた取付孔７５が形成されている。図６（ａ）に示すように、この取付孔７５は、ツマミ係合壁７４の長手方向一端部寄りに位置していて、取付孔７５の中央部に、取付孔挿入部４３に設けられた長孔４５の長手方向一端側の円形孔４５ａが整合するように形成されている。
【００３４】
したがって、回転ノブ５０の軸部５１が長孔４５の円形孔４５ａに配置された状態で、ツマミ部５３の長手方向と取付孔７５の長手方向とが一致するように、ツマミ部５３を回転配置させたときに、ツマミ部５３が取付孔７５を挿通できるようになっている（図５参照）。一方、ツマミ部５３の長手方向が取付孔７５の長手方向に対して交差するようにツマミ部５３が回動したとき、及び軸部５１が長孔４５の円形孔４５ｂに移動したときには、ツマミ部５３が取付孔７５を挿通不能となり、同ツマミ部５３がツマミ係合壁７４の取付孔７５の表側周縁部に係合して、グロメット６０に対して本体部２０が抜け止めされるようになっている（図６〜８参照）。
【００３５】
また、ツマミ係合壁７４の表面側であって、取付孔７５の長手方向一端部の、一方の長辺側の周縁部に、回転規制部７８が突設されている。図５（ａ）に示すように、この実施形態における回転規制部７８は、前記取付孔７５の長手方向に平行な平行面７８ａと、取付孔７５の長手方向に直交する直交面７８ｂと、平行面７８ａ及び直交面７８ｂの間に設けられた円弧状の角部７８ｃとから構成されている。
【００３６】
上記回転規制部７８は、回転ノブ５０の軸部５１が、長孔４５の長手方向一端側の円形孔４５ａに配置された状態で、回転ノブ５０を回動させるときにツマミ部５３に当接し、軸部５１を長孔４５のくびれ部４５ｃを通過させて、他端側の円形孔４５ｂへと移動させると共に（図７参照）、ツマミ部５３のそれ以上の回転を規制して、ツマミ部５３の長手方向が取付孔７５の長手方向に対して交差する位置、この実施形態ではほぼ直交する位置で停止させて、取付孔７５からの抜け止めを図る役割をなしている。
【００３７】
なお、この実施形態における回転規制部７８は、取付孔７５の長手方向一端部の、一方の長辺側周縁部に設けられているが、取付孔７５の長手方向一端部の、他方の長辺側周縁部に設けてもよく、回転ノブ５０の所定方向への回転を許容すると共に、ツマミ部５３に当接して軸部５１を長孔４５の他端側の円形孔４５ｂに移動させることができるものであればよい。
【００３８】
上記基体７０に取付けられる蓋体８０は、基体７０の筒部７１に外装されると共に、マット５のグロメット装着孔７に挿入される枠状の筒部８１と、この筒部８１の基端外周から傘状に広がり、マット５のグロメット装着孔７の裏側周縁に係合するフランジ部８２とを有している。また、筒部８１の内周には、前記基体７０に設けられた段状の係合部７３に、段階的に係合する係合爪８３が、周方向に均等な間隔をあけて複数突設されている。
【００３９】
次に、上記構造からなる本発明に係るマット固定装置１０の、使用方法及び作用効果について説明する。
【００４０】
まず、本体部２０に回転ノブ５０を組付ける。すなわち、本体部２０の長孔４５に回転ノブ５０の抜け止め部５５を整合させた状態で、本体部２０に対して回転ノブ５０を押し込んでいき、長孔４５の裏側から抜け止め部５５を挿出させて、軸部５１の円形部５１ａと抜け止め部５５との間に弾性爪４８，４８を配置する（図３，図４（ｂ）参照）。
【００４１】
それと共に、回転ノブ５０の軸部５１を長孔４５の円形孔４５ａ側へとスライドさせることで、軸部５１の円形部５１ａが、取付孔挿入部４３の周壁４３ａの、くびれ部４５ｃに整合する部分を外径方向に撓ませながら、くびれ部４５ｃを圧入状態で通過して、長孔４５の円形孔４５ａに配置される。こうして、本体部２０に回転ノブ５０が回転可能に抜け止めされて組付けられる（図４参照）。
【００４２】
次いで、カーペット１の固定孔２に、本体部２０の挟持板３５及び係合壁３２を挿入し、薄肉ヒンジ３４ａの部分で折曲させて、カーペット１の裏側から固定孔３に板体３１裏面の係合壁３３を挿入する。この状態で、板体３１に対して挟持板３５を閉じ、係合壁３２，３３に係合爪３６，３７をそれぞれ係合させることで、カーペット１の表裏両面が板体３１及び挟持板３５により挟持されて、カーペット１に本体部２０を取付けることができる（図４（ｂ）参照）。
【００４３】
また、マット５に対してグロメット６０を位置決めして装着する。すなわち、マット５のグロメット装着孔７の表側から基体７０の筒部７１を整合させて挿入し、グロメット装着孔７の表側周縁にフランジ部７２を係合させると共に、グロメット装着孔７の裏側から蓋体８０の筒部８１を整合させて挿入して、前記基体７０の筒部７１に外装し、係合部７３に係合爪８３を係合させる。その結果、グロメット装着孔７の表裏両面が基体７０のフランジ部７２及び蓋体８０のフランジ部８２により挟持されて、マット５にグロメット６０を装着することができる（図５参照）。
【００４４】
そして、カーペット１にマット５を取付ける際には、ツマミ部５３の長手方向と長孔４５の長手方向とを一致させた状態で、本体部２０のグロメット挿入部４１をグロメット６０の基体７０の筒部７１内周に整合させると共に、ツマミ部５３をグロメット６０に設けられた取付孔７５に整合させて、カーペット１に対してマット５を被せていく。すると、本体部２０のグロメット挿入部４１がグロメット６０の筒部７１内周に挿入されると共に、同本体部２０の取付孔挿入部４３がグロメット６０の取付孔７５に挿入され、更にツマミ部５３が取付孔７５から挿出されて、グロメット６０のツマミ係合壁７４の表側に配置される（図５参照）。この状態では、回転ノブ５０の軸部５１は、長孔４５の長手方向一端側の円形孔４５ａに配置されている。
【００４５】
上記状態で図５（ａ）に示すように、ツマミ部５３の長手方向他端部が回転規制部７８に近接する方向（この実施形態の場合は右回し）に、回転ノブ５０を回転させる。すると、図６に示すように、ツマミ部５３が回転規制部７８の角部７８ｃに当接して、回転規制部７８に押され、その反力により、ツマミ部５３がツマミ係合壁７４の表面上を回転しながら、軸部５１がくびれ部４５ｃを通過して長孔４５の軸方向他端側の円形孔４５ｂへ移動する。このとき、軸部５１の円形部５１ａが、取付孔挿入部４３の周壁４３ａの、くびれ部４５ｃに整合する部分を外径方向に撓ませながら、くびれ部４５ｃを圧入状態で通過する。
【００４６】
更に回転ノブ５０が回転して、図７に示すように、ツマミ部５３の長辺側の一側部が、回転規制部７８の直交面７８ｂに当接すると、ツマミ部５３の長手方向が取付孔７５の長手方向にほぼ直交した状態で、回転ノブ５０のそれ以上の回転が規制されて停止する。その結果、ツマミ部５３が取付孔７５の表側周縁に係合するので、マット固定装置１０を介して、カーペット１にマット５を固定することができる。
【００４７】
以上のように、このマット固定装置１０においては、取付孔７５にツマミ部５３を挿通させた後、ツマミ部５３を回転させるだけで、回転ノブ５０の軸部５１を長孔４５の円形孔４５ａ側から円形孔４５ｂ側へと移動させると共に、ツマミ部５３を取付孔７５に交差する位置に停止させて、取付孔７５の周縁に係合させることができるので、簡単な操作で確実にカーペット１にマット５を固定することができる。
【００４８】
そして、図８に示すように、カーペット１にマット５が固定された状態で、不測の外力によりツマミ部５３が回転して取付孔７５に対して交差しない角度となっても、回転ノブ５０の軸部５１が、長孔４５の軸方向他端側の円形孔４５ｂに位置しているので、ツマミ部５３が取付孔７５の周縁に係合して抜け止めされて、ツマミ部５３が取付孔７５を通過することが防止され、カーペット１にマット５が固定された状態を確実に維持して、カーペット１からマット５が外れないように保持することができる。
【００４９】
一方、清掃や取替え等のために、マット５をカーペット１から取外したい場合には、ツマミ部５３を回転させてその長手方向を取付孔７５の長手方向に整合させ、回転ノブ５０の軸部５１を、長孔４５の円形孔４５ｂから円形孔４５ａへと移動させる（図５参照）。その後、カーペット１からマット５を引き離すことで、グロメット６０の取付孔７５からツマミ部５３が抜き出されて、マット５をカーペット１から取外すことができる。
【００５０】
また、この実施形態では、長孔４５の途中に、軸部５１の円形部５１ａの外径Ｄよりも小さい隙間Ｃでくびれ部４５ｃが形成されており、回転ノブ５０の軸部５１が、長孔４５の円形孔４５ａ，４５ｂの間を移動するときに、軸部５１の円形部５１ａが、くびれ部４５ｃを圧入状態で通過するようになっている。このようなくびれ部４５ｃを設けたことにより、長孔４５の長手方向他端側の円形孔４５ｂに移動した回転ノブ５０の軸部５１が、長手方向一端側の円形孔４５ａに戻りにくくすることができるので、取付孔７５からツマミ部５３が抜け外れてしまうことをより確実に防止することができる。
【００５１】
更に、この実施形態では、取付孔挿入部４３の周壁４３ａの、くびれ部４５ｃに整合する部分が、軸部５１の円形部５１ａがくびれ部４５ｃを圧入状態で通過するときに、外径方向に撓むように構成されているので、軸部５１が長孔４５の円形孔４５ａ，４５ｂの間を移動するときに、くびれ部４５ｃを通過させやすくすることができる。
【００５２】
また、この実施形態では、回転規制部７８に、取付孔７５の長手方向に直交する直交面７８ｂが設けられており、ツマミ部５３を取付孔７５に挿通させて回転させたときに、同ツマミ部５３の長辺側の一側部が、回転規制部７８の直交面７８ｂに当接して、ツマミ部５３が取付孔７５の長手方向に直交する角度で停止するようになっている（図７参照）。そのため、ツマミ部５３の長手方向両端部を取付孔７５の表側周縁部に係合させて、取付孔７５に対するツマミ部５３の係合代を大きく確保することができ、取付孔７５からツマミ部５３をより確実に抜け外れないようにすることができる。
【符号の説明】
【００５３】
１  カーペット
５  マット
１０  マット固定装置
２０  本体部
３０  固定部
４０  支持部
４５  長孔
４５ａ，４５ｂ  円形孔
４５ｃ  くびれ部
５０  回転ノブ
５１  軸部
５３  ツマミ部
５５  抜け止め部
６０  グロメット
７５  取付孔
７８  回転規制部
【図１】
0005860274.tif 000002
【図２】
0005860274.tif 000003
【図３】
0005860274.tif 000004
【図４】
0005860274.tif 000005
【図５】
0005860274.tif 000006
【図６】
0005860274.tif 000007
【図７】
0005860274.tif 000008
【図８】
0005860274.tif 000009